【手続補正書】
【提出日】平成21年5月12日(2009.5.12)
【手続補正１】
【補正対象書類名】特許請求の範囲
【補正対象項目名】全文
【補正方法】変更
【補正の内容】
【特許請求の範囲】
【請求項１】
ゲーム空間内におけるオブジェクトの配置を制御し、配置された当該オブジェクト群の配置パターンを基準に当該オブジェクトを消滅させるゲームシステムを制御するプログラムであって、
プレーヤからの操作入力に基づいて前記オブジェクトにおける移動又は回転の少なくとも何れか一方を制御して当該オブジェクトを前記ゲーム空間内に配置する処理を行う配置処理部と、
ゲーム空間に配置されたオブジェクト群が所定の配置パターンに該当するオブジェクト群を含むか否かを判定する配置パターン判定部と、
当該所定の配置パターンを構成するオブジェクトを消滅対象オブジェクトとして設定する消滅対象オブジェクト設定部と、
前記消滅対象オブジェクトが設定された後に所定の条件の成否を判定し、当該所定の条件が不成立と判定された場合に、当該消滅対象オブジェクトを前記ゲーム空間から消滅させる消滅処理を行う消滅処理部としてコンピュータを機能させ、
前記消滅処理部は、
前記消滅対象オブジェクトが設定された後に新たに配置されたオブジェクトを含むオブジェクト群に対して配置パターン判定処理部が判定した結果、含むと判定した場合に前記所定の条件が成立したと判定し、含まないと判定した場合に前記所定の条件が不成立であると判定することを特徴とするプログラム。
【請求項２】
ゲーム空間内におけるオブジェクトの配置を制御し、配置された当該オブジェクト群の配置パターンを基準に当該オブジェクトを消滅させるゲームシステムを制御するプログラムであって、
プレーヤからの操作入力に基づいて前記オブジェクトにおける移動又は回転の少なくとも何れか一方を制御して当該オブジェクトを前記ゲーム空間内に配置する処理を行う配置処理部と、
ゲーム空間に配置されたオブジェクト群が所定の配置パターンに該当するオブジェクト群を含むか否かを判定する配置パターン判定部と、
当該所定の配置パターンを構成するオブジェクトを消滅対象オブジェクトとして設定する消滅対象オブジェクト設定部と、
前記消滅対象オブジェクトが設定された後に所定の条件の成否を判定し、当該所定の条件が不成立と判定された場合に、当該消滅対象オブジェクトを前記ゲーム空間から消滅させる消滅処理を行う消滅処理部としてコンピュータを機能させ、
前記消滅処理部が、
前記消滅対象オブジェクトが設定されてから所定の時間が経過するまでに新たに配置されたオブジェクトを含むオブジェクト群に対して配置パターン判定処理部が判定した結果含むと判定した場合に前記所定の条件が成立したと判定し、含まないと判定した場合に前記所定の条件が不成立であると判定することを特徴とするプログラム。
【請求項３】
請求項１乃至２のいずれかにおいて、
前記配置処理部は、
前記オブジェクトが複数連結して構成された連結オブジェクト群について、プレーヤからの操作入力に基づいて前記連結オブジェクト群を一体として移動又は回転の少なくとも何れか一方を制御して当該連結オブジェクト群を構成する複数のオブジェクトを前記ゲーム空間内に配置することを特徴とするプログラム。
【請求項４】
請求項１に従属する請求項３において、
前記配置パターン判定部は、
ゲーム空間に配置された連結オブジェクト群を含むオブジェクト群が所定の配置パター
ンに該当するかを判定し、
前記消滅処理部が、
前記消滅対象オブジェクトが設定された後に新たに配置された連結オブジェクト群を含むオブジェクト群が前記所定の配置パターンに該当しない場合に前記所定の条件が不成立であると判定することを特徴とするプログラム。
【請求項５】
請求項２に従属する請求項３において、
前記配置パターン判定部は、
ゲーム空間に配置された連結オブジェクト群を含むオブジェクト群が所定の配置パターンに該当するかを判定し、
前記消滅処理部が、
前記消滅対象オブジェクトが設定されてから所定の時間が経過するまでに新たに配置された連結オブジェクト群を含むオブジェクト群が所定の配置パターンに該当する場合に前記所定の条件が成立したと判定し、前記所定の時間が経過するまでに新たに配置された他の連結オブジェクト群を含むオブジェクト群が所定の配置パターンに該当しない場合には、前記所定の条件が不成立であると判定することを特徴とするプログラム。
【請求項６】
請求項２又は請求項２に従属する請求項３又は請求項５に記載のプログラムにおいて、
前記消滅処理部が、前記所定の条件が成立したと判定した場合には、当該所定の時間の再計測を開始して更に所定の条件の成否を判定し、前記所定の時間の再計測を開始する際には当該所定の時間を再計測前の所定の時間より短縮させることを特徴とするプログラム。
【請求項７】
請求項６に記載のプログラムにおいて、
前記消滅処理部が、
前記所定の条件の成立回数、前記所定の条件の連続成立回数、前記消滅対象オブジェクトの数、ゲームにおける難易度又はゲーム開始からの経過時間の少なくとも何れか一方に基づいて短縮すべき所定の時間を変化させることを特徴とするプログラム。
【請求項８】
請求項１乃至７のいずれかに記載のプログラムにおいて、
前記消滅処理部が、前記消滅処理を行う際に前記消滅対象オブジェクトとともに当該消滅対象オブジェクトと所定の位置関係に存在する前記オブジェクトを消滅させることを特徴とするプログラム。
【請求項９】
請求項３又は請求項３に従属する請求項４乃至８のいずれかに記載のプログラムにおいて、
前記消滅処理部が、前記消滅処理を行う際に、前記ゲーム空間上にて前記消滅対象オブジェクトに積載された連結オブジェクト群に対して当該連結オブジェクト群を構成するオブジェクト間の連結関係を解消させることを特徴とするプログラム。
【請求項１０】
請求項１乃至９のいずれかに記載のプログラムにおいて、
前記配置処理部が、
所定のイベントに基づいて前記プレーヤの操作対象外となる対象外オブジェクトを前記ゲーム空間に出現させて配置することを特徴とするプログラム。
【請求項１１】
請求項１０に記載のプログラムにおいて、
前記配置パターン判定部は、
ゲーム空間に配置された対象外オブジェクトではない通常のオブジェクトからなるオブジェクト群について所定の配置パターンに該当するオブジェクト群を含むか否かを判定す
ることを特徴とするプログラム。
【請求項１２】
請求項１０乃至１１に記載のプログラムにおいて、
前記所定の条件が成立した場合に、所定の位置関係に存在する当該対象外オブジェクトを通常のオブジェクトに変更するオブジェクト変更部としてさらに機能させることを特徴とするプログラム。
【請求項１３】
請求項１乃至１２のいずれかに記載のプログラムにおいて、
前記配置処理部が、他のオブジェクトとの位置関係に基づいて操作対象のオブジェクト回転制御を行う場合に、操作対象のオブジェクトの回転後に他のオブジェクトと干渉しない場合には、回転時に他のオブジェクトと干渉する場合であっても回転可能に制御することを特徴とするプログラム。
【請求項１４】
請求項１３に記載のプログラムにおいて、
前記ゲーム空間が２次元空間から構成される場合に、
複数のオブジェクトが頂点のみを共有するように連結された前記連結オブジェクト群を前記ゲーム空間に前記プレーヤによって操作可能に発生させるオブジェクト発生部として更に機能させることを特徴とするプログラム。
【請求項１５】
請求項１３に記載のプログラムにおいて、
前記ゲーム空間が３次元空間から構成される場合に、
複数のオブジェクトが辺のみ共有するように連結された前記連結オブジェクト群を前記ゲーム空間に前記プレーヤによって操作可能に発生させるオブジェクト発生部として更に機能させることを特徴とするプログラム。
【請求項１６】
コンピュータに読み取り可能な情報記憶媒体であって、請求項１乃至１５のいずれかに記載のプログラムが記憶されていることを特徴とする情報記憶媒体。
【請求項１７】
ゲーム空間内におけるオブジェクトの配置を制御し、配置された当該オブジェクト群の配置パターンを基準に当該オブジェクトを消滅させるゲームシステムのための画像生成システムであって、
プレーヤからの操作入力に基づいて前記オブジェクトにおける移動又は回転の少なくとも何れか一方を制御して当該オブジェクトを前記ゲーム空間内に配置する処理を行う配置処理部と、
ゲーム空間に配置されたオブジェクト群が所定の配置パターンに該当するオブジェクト群を含むか否かを判定する配置パターン判定部と、
当該所定の配置パターンを構成するオブジェクトを消滅対象オブジェクトとして設定する消滅対象オブジェクト設定部と、
前記消滅対象オブジェクトが設定された後に所定の条件の成否を判定し、当該所定の条件が不成立と判定された場合に、当該消滅対象オブジェクトを前記ゲーム空間から消滅させる消滅処理を行う消滅処理部とを含み、
前記消滅処理部は、
前記消滅対象オブジェクトが設定された後に新たに配置されたオブジェクトを含むオブジェクト群に対して配置パターン判定処理部が判定した結果、含むと判定した場合に前記所定の条件が成立したと判定し、含まないと判定した場合に前記所定の条件が不成立であると判定することを特徴とする画像生成システム。
【請求項１８】
ゲーム空間内におけるオブジェクトの配置を制御し、配置された当該オブジェクト群の配置パターンを基準に当該オブジェクトを消滅させるゲームシステムのための画像生成システムであって、
プレーヤからの操作入力に基づいて前記オブジェクトにおける移動又は回転の少なくとも何れか一方を制御して当該オブジェクトを前記ゲーム空間内に配置する処理を行う配置処理部と、
ゲーム空間に配置されたオブジェクト群が所定の配置パターンに該当するオブジェクト群を含むか否かを判定する配置パターン判定部と、
当該所定の配置パターンを構成するオブジェクトを消滅対象オブジェクトとして設定する消滅対象オブジェクト設定部と、
前記消滅対象オブジェクトが設定された後に所定の条件の成否を判定し、当該所定の条件が不成立と判定された場合に、当該消滅対象オブジェクトを前記ゲーム空間から消滅させる消滅処理を行う消滅処理部とを含み、
前記消滅処理部が、
前記消滅対象オブジェクトが設定されてから所定の時間が経過するまでに新たに配置されたオブジェクトを含むオブジェクト群に対して配置パターン判定処理部が判定した結果含むと判定した場合に前記所定の条件が成立したと判定し、含まないと判定した場合に、前記所定の条件が不成立であると判定することを特徴とする画像生成システム。
【手続補正２】
【補正対象書類名】明細書
【補正対象項目名】０００９
【補正方法】変更
【補正の内容】
【０００９】
この構成により、本発明に係る画像生成システム、プログラム又は情報記録媒体は、
前記消滅対象オブジェクトが設定された後に新たに配置されたオブジェクトを含むオブジェクト群が前記所定の配置パターンに該当しない場合に前記所定の条件が不成立であると判定し、所定の条件が成立した場合には、その時点では消滅対象オブジェクトをゲーム空間から消滅させることはない。
【手続補正３】
【補正対象書類名】明細書
【補正対象項目名】００２１
【補正方法】変更
【補正の内容】
【００２１】
（４）また本発明に係る画像生成システム、プログラム及び情報記憶媒体では、
前記配置パターン判定部は、
ゲーム空間に配置された連結オブジェクト群を含むオブジェクト群が所定の配置パターンに該当するかを判定し、
前記消滅処理部が、
前記消滅対象オブジェクトが設定された後に新たに配置された連結オブジェクト群を含むオブジェクト群が前記所定の配置パターンに該当しない場合に前記所定の条件が不成立であると判定することを特徴とする。
【手続補正４】
【補正対象書類名】明細書
【補正対象項目名】００２３
【補正方法】変更
【補正の内容】
【００２３】
（５）また本発明に係る画像生成システム、プログラム及び情報記憶媒体では、
前記配置パターン判定部は、
ゲーム空間に配置された連結オブジェクト群を含むオブジェクト群が所定の配置パターンに該当するかを判定し、
前記消滅処理部が、
前記消滅対象オブジェクトが設定されてから所定の時間が経過するまでに新たに配置された連結オブジェクト群を含むオブジェクト群が所定の配置パターンに該当する場合に前記所定の条件が成立したと判定し、前記所定の時間が経過するまでに新たに配置された他の連結オブジェクト群を含むオブジェクト群が所定の配置パターンに該当しない場合には、前記所定の条件が不成立であると判定することを特徴とする。
【手続補正５】
【補正対象書類名】明細書
【補正対象項目名】００４３
【補正方法】変更
【補正の内容】
【００４３】
（１５）また本発明に係る画像生成システム、プログラム及び情報記憶媒体では、
前記ゲーム空間が３次元空間から構成される場合に、
複数のオブジェクトが辺のみ共有するように連結された前記連結オブジェクト群を前記ゲーム空間に前記プレーヤによって操作可能に発生させるオブジェクト発生部として更に機能させることを特徴とする。